(57)【要約】【課題】フレキシブルスクリーン支持装置を提供する。【解決手段】フレキシブルスクリーンを支持するために用いられるフレキシブルスクリーン支持装置であって、支持板と、第一伸縮フレームと、前記第一伸縮フレームの両側に位置する複数の第二伸縮フレームと、を備え、前記第一伸縮フレームと複数の前記第二伸縮フレームは前記支持板と前記フレキシブルスクリーンを接続し、前記第一伸縮フレームと複数の前記第二伸縮フレームは前記フレキシブルスクリーンを動かして曲面を形成する。【選択図】図１
2019530897.tif 000002
【特許請求の範囲】
【請求項１】
フレキシブルスクリーンを支持するために用いられるフレキシブルスクリーン支持装置であって、
支持板と、第一伸縮フレームと、前記第一伸縮フレームの両側に位置する複数の第二伸縮フレームと、を備え、前記第一伸縮フレーム及び複数の前記第二伸縮フレームは前記支持板と前記フレキシブルスクリーンを接続し、前記第一伸縮フレームと複数の前記第二伸縮フレームは前記フレキシブルスクリーンを動かして曲面を形成することを特徴とするフレキシブルスクリーン支持装置。
【請求項２】
前記第一伸縮フレーム及び複数の前記第二伸縮フレームには、それぞれ駆動部が接続されており、
各々の前記駆動部は、駆動モータと、前記駆動モータに接続されたリードスクリューと、前記リードスクリューに外嵌された駆動ブロックと、を備え、前記リードスクリューは前記駆動ブロックを動かして前記伸縮フレームを伸縮させるように駆動することを特徴とする請求項１に記載のフレキシブルスクリーン支持装置。
【請求項３】
複数の前記第二伸縮フレームは前記支持板の表面に対して回転可能であることを特徴とする請求項２に記載のフレキシブルスクリーン支持装置。
【請求項４】
前記第二伸縮フレームは、第一取付板と、第二取付板と、２つの支持ロッドと、を備え、各前記支持ロッドの両端は、それぞれ前記第一取付板と前記第二取付板に摺動自在に取り付けられ、２つの前記支持ロッドは交差接続されて相対的に回転可能であることを特徴とする請求項３に記載のフレキシブルスクリーン支持装置。
【請求項５】
前記第一取付板には回転軸及び推進部材が設けられており、前記推進部材は前記回転軸に回転自在に取り付けられ且つ前記回転軸に沿ってスライド可能であり、前記推進部材は、前記駆動ブロックと２つの前記支持ロッドの中の１つの支持ロッドの端部に接続されて、前記支持ロッドを前記第一取付板に沿ってスライドするように駆動することを特徴とする請求項４に記載のフレキシブルスクリーン支持装置。
【請求項６】
前記第一取付板は取付主板及び第一回転板を備え、前記第一回転板は前記回転軸によって前記取付主板に回転可能に取り付けられ、２つの前記支持ロッドの一端は間隔を置いて前記第一回転板に接続され、且つ前記推進部材に接続された前記支持ロッドの端部は軸方向に沿って前記第一回転板上でスライドすることを特徴とする請求項５に記載のフレキシブルスクリーン支持装置。
【請求項７】
前記回転軸は前記取付主板に取り付けられ、前記回転軸は間隔を置いて設置された第一段及び第二段を備え、前記推進部材は前記第一段に外嵌され、前記第一回転板には規制領域が設けられ、前記第一段は前記規制領域に位置することを特徴とする請求項６に記載のフレキシブルスクリーン支持装置。
【請求項８】
前記取付主板にはねじりバネが設けられており、前記ねじりバネは前記第二段に位置し、前記取付主板と前記第一回転板に当接されることを特徴とする請求項７に記載のフレキシブルスクリーン支持装置。
【請求項９】
前記第二取付板は接続主板及び第二回転板を備え、前記第二回転板は回転軸によって前記接続主板に回転可能に取り付けられ、２つの前記支持ロッドの他端は間隔を置いて前記第二回転板に接続されることを特徴とする請求項６に記載のフレキシブルスクリーン支持装置。
【請求項１０】
２つの前記支持ロッドの中部は回転軸によって回転可能に交差接続されることを特徴とする請求項４に記載のフレキシブルスクリーン支持装置。
【請求項１１】
前記第一回転板の一端には第一スライドスロットが設けられており、前記第二回転板の一端には第二スライドスロットが設けられており、前記推進部材に接続された前記支持ロッドの両端はそれぞれ前記第一スライドスロットと前記第二スライドスロット内にスライド可能に取り付けられることを特徴とする請求項９に記載のフレキシブルスクリーン支持装置。
【請求項１２】
前記駆動ブロックは円弧形の接続端を備え、前記推進部材は円弧形スロットを備え、前記接続端は前記円弧形スロット内に挿入されて、前記推進部材により前記駆動ブロックを前記回転軸に沿って回転するように駆動することを実現することを特徴とする請求項５に記載のフレキシブルスクリーン支持装置。
【請求項１３】
前記第一伸縮フレームは、第三取付板と、第四取付板と、２つの支持ロッドと、を備え、各前記支持ロッドの両端は、それぞれ前記第三取付板と前記第四取付板に摺動自在に取り付けられ、２つの前記支持ロッドは交差接続されて相対的に回転可能であることを特徴とする請求項３に記載のフレキシブルスクリーン支持装置。
【請求項１４】
前記第三取付板は、取付主板と、回転軸によって前記取付主板に回転可能に取り付けられた第三回転板と、を備え、
前記第四取付板は、接続主板と、回転軸によって前記接続主板に回転可能に取り付けられた第四回転板と、を備え、
２つの前記支持ロッドの一端部は間隔を置いて前記第三回転板に接続され、２つの前記支持ロッドの他端部は間隔を置いて前記第四回転板に接続されることを特徴とする請求項１３に記載のフレキシブルスクリーン支持装置。
【請求項１５】
前記回転軸にはスライダが設けられており、前記スライダは前記駆動ブロックと２つの前記支持ロッドの中の１つの支持ロッドの端部に接続されて、前記支持ロッドを前記第三取付板に沿ってスライドするように駆動することを特徴とする請求項１４に記載のフレキシブルスクリーン支持装置。
【請求項１６】
前記回転軸は前記取付主板に取り付けられ且つ間隔を置いて設置された第一段及び第二段を備え、前記推進部材は前記第一段に外嵌され、前記第一回転板には規制領域が設けられ、前記第一段は前記規制領域内に位置し、前記取付溝の２つの溝壁に接続されることを特徴とする請求項１５に記載のフレキシブルスクリーン支持装置。
【請求項１７】
前記駆動部はピストンシリンダであり、前記第一伸縮フレームはシリンダのプッシュロッド及びプッシュロッドに接続された接続ブロックであり、前記第二伸縮フレームは、シリンダのプッシュロッド及びプッシュロッドに接続されたフレキシブル可動ブロックであり、前記接続ブロックと前記フレキシブル可動ブロックは前記フレキシブルスクリーンを支持することを特徴とする請求項２に記載のフレキシブルスクリーン支持装置。
【請求項１８】
前記フレキシブルスクリーン支持装置は制御装置を備え、前記制御装置は前記第一伸縮フレームと複数の前記第二伸縮フレームを動かすように駆動することを特徴とする請求項１に記載のフレキシブルスクリーン支持装置。
【請求項１９】
表示面と、背面と、請求項１〜１８のいずれか一項に記載のフレキシブルスクリーン支持装置と、を備え、前記フレキシブルスクリーン支持装置は前記背面に接続されることを特徴とするフレキシブルスクリーン。
【発明の詳細な説明】
【技術分野】
【０００１】
本発明は、フレキシブルディスプレイ技術分野に関するものであり、特にフレキシブルスクリーン支持装置及びフレキシブルスクリーンに関するものである。
【背景技術】
【０００２】
材料技術の発展と共に、ディスプレイスクリーンは湾曲可能な形態に製作することができる。フレキシブルディスプレイスクリーンを採用する装置は、携帯に便利であり、可撓性を有し、自由に変形できるなどのような多い利点を有する。しかしながら、目下、フレキシブルディスプレイスクリーンを有する装置自体もいくつかの欠点を有し、例えば、信頼できる支持性がなく、その制御性が悪い。
【０００３】
伝統的な解決策は、フレキシブルディスプレイスクリーンを固定形状（例えば、曲面状）を有する支持体に取り付けることであるが、この方法はフレキシブルディスプレイスクリーンのより優れた貼付性を利用するだけであり、その機能は曲面表示に限定されており、フレキシブルスクリーンの可撓性変形特性は十分に利用されていない。
【発明の概要】
【０００４】
上述した問題に基づいて、本願はフレキシブルスクリーン支持装置を提供し、フレキシブルスクリーンの可撓性変形特性を十分に利用して、フレキシブルスクリーンの多様化を実現する。
【０００５】
本願に係るフレキシブルスクリーン支持装置は、フレキシブルスクリーンを支持するために用いられ、フレキシブルスクリーン支持装置は、支持板と、第一伸縮フレームと、第一伸縮フレームの両側に位置する複数の第二伸縮フレームと、を備え、第一伸縮フレームと複数の第二伸縮フレームは支持板とフレキシブルスクリーンを接続し、第一伸縮フレームと複数の第二伸縮フレームはフレキシブルスクリーンを動かして曲面を形成する。
【０００６】
本願に係るフレキシブルスクリーンは、表示面と、背面と、上記したフレキシブルスクリーン支持装置と、を備え、フレキシブルスクリーン支持装置は背面に接続される。
【０００７】
本願に係るフレキシブルスクリーン支持装置は、第一伸縮フレーム及び複数の第二伸縮フレームによってフレキシブルスクリーンを支持し、第一伸縮フレーム及び複数の第二伸縮フレームの異なる程度の伸縮はフレキシブルスクリーンを動かして曲面を形成することにより、フレキシブルスクリーンの多様化視聴モードを実現する。
【図面の簡単な説明】
【０００８】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明のフレキシブルスクリーンを示す図面であり、フレキシブルスクリーン支持装置を備え、フレキシブルスクリーンは円弧状態にある。
【図２】図２は、本発明の第一実施形態に係わるフレキシブルスクリーン支持装置の一部分の構造を示す図面であり、第二伸縮フレームは伸長状態にある。
【図３】図３は、図２に示されたフレキシブルスクリーン支持装置の第二伸縮フレームの分解図である。
【図４】図４は、図３に示されたフレキシブルスクリーン支持装置の別の角度の分解図である。
【図５】図５は、図２に示されたフレキシブルスクリーン支持装置の第二伸縮フレームの組立図である。
【図６】図６は、図１に示されたフレキシブルスクリーン支持装置の第一伸縮フレームの構造を示す図面である。
【図７】図７は、図２に示されたフレキシブルスクリーン支持装置の第二伸縮フレームの収縮状態を示す図面である。
【図８】図８は、図１に示された本発明のフレキシブルスクリーンがフレキシブルスクリーン支持装置によって変形された状態を示す図面である。
【図９】図９は、図１に示された本発明のフレキシブルスクリーンがフレキシブルスクリーン支持装置によって変形された状態を示す図面である。
【図１０】図１０は、本発明の第二実施形態に係わるフレキシブルスクリーン支持装置の構造を示す図面であり、フレキシブルスクリーンを備える。
【発明を実施するための形態】
【０００９】
以下、本発明の実施形態の添付の図面を参照しながら、本発明の実施形態の技術的方案を明確且つ完全に説明する。
【００１０】
図１を参照すると、本発明の実施形態は、フレキシブルスクリーン２００を支持するために用いられるフレキシブルスクリーン支持装置１００を提供する。フレキシブルスクリーン支持装置１００は、支持板１０と、第一伸縮フレーム２０と、第一伸縮フレーム２０の両側に位置する複数の第二伸縮フレーム３０と、を備える。第一伸縮フレーム２０及び複数の第二伸縮フレーム３０は、支持板１０とフレキシブルスクリーン２００を接続する。第一伸縮フレーム２０及び複数の第二伸縮フレーム３０は、フレキシブルスクリーン２００を動かして曲面を形成する。その中において、波形曲面、円弧形曲面、角度付きの凸形状又は凹形状を備え、平面であってもよい。
【００１１】
さらに、複数の第二伸縮フレーム３０は、支持板１０の表面に対して回転可能である。
【００１２】
さらに、図６に示されたように、第一伸縮フレーム２０に駆動部２５が接続されており、図５に示されたように、複数の第二伸縮フレーム３０の中のそれぞれに駆動部３１が接続されている。
【００１３】
具体的には、駆動部２５と駆動部３１は同じ構造であることが好ましい。駆動部３１は、駆動モータ３１１と、駆動モータ３１１に接続されたリードスクリュー３１３と、リードスクリュー３１３に外嵌された駆動ブロック３１４と、を備える。リードスクリュー３１３は駆動ブロック３１４を動かして第二伸縮フレーム３０を伸縮するように駆動する。駆動部２５は、駆動モータ２５１と、駆動モータ２５１に接続されたリードスクリュー２５３と、リードスクリュー２５３に外嵌された駆動ブロック２５４と、を備える。リードスクリュー２５３は駆動ブロック２５４を動かして第一伸縮フレーム２０を伸縮するように駆動する。
【００１４】
図２を参照すると、支持板１０は矩形の板体であり、その片側に帯状の複数の取付溝１１が間隔を置いて設置される。取付溝１１は、第一伸縮フレーム２０の駆動部２５及び複数の第二伸縮フレーム３０の駆動部３１を装着するために用いられる。第一伸縮フレーム２０の駆動部２５は、複数の取付溝１１における中間位置に位置する取付溝１１に取り付けられる。
【００１５】
図３、図４を参照すると、１つの第二伸縮フレーム３０を例として説明すると、駆動部３１の駆動モータ３１１は１つの取付溝１１内に位置し、リードスクリュー３１３は取付溝１１の長さ方向に沿って取付溝１１内に装着され、駆動ブロック３１４は取付溝１１の一端に位置する。
【００１６】
第二伸縮フレーム３０は、第一取付板３２と、第二取付板３３と、２つの支持ロッド３４と、を備える。各々の支持ロッド３４の両端はそれぞれ第一取付板３２と第二取付板３２に摺動自在に取り付けられ、２つの支持ロッド３４は交差接続されて相対的に回転可能である。２つの支持ロッド３４は、軸によって２つの支持ロッドの中心位置を接続することにより、２つの支持ロッド３４の相対回転を実現する。２つの支持ロッド３４の中の１つの支持ロッド３４は、第一端３４１と、第一端３４１に対向する第二端３４２と、を備える。  
【００１７】
第一取付板３２は、取付主板３２１及び第一回転板３２２を備え、第一回転板３２２は回転軸３５によって取付主板３２１に回転可能に取り付けられる。取付主板３２１は細長い板体であり、取付主板３２１の長手方向に沿って第一取付溝３２４、第二取付溝３２１１及び取付ブロック３２１２が設けられている。本実施形態において、３つの第二取付溝３２１１が設けられており、２つの第二取付溝３２１１毎の間に取付ブロック３２１２が間隔を置いて設けられている。そして、第一取付溝３２４は、１つの第二取付溝３２１１と間隔を置いて設けられている。３つの第二取付溝３２１１及び取付ブロック３２１２は軸孔によってお互いに貫通している。第一回転板３２２の片側の両端にはヒンジ端３２２１が間隔を置いて設けられる。２つのヒンジ端３２２１の間には離間されている２つの装着筒３２２１が突出して設けられる。
【００１８】
第一回転板３２２は取付主板３２１に取り付けられ、２つの装着筒３２２１は２つの第二取付溝３２１１内に挿入され且つ２つの取付ブロック３２１２の間に位置する。回転軸３５は、第一取付溝３２４、第二取付溝３２１１、装着筒３２２１及び取付ブロック３２１２を貫通し、且つその両端は２つのヒンジ端３２２１内に回転可能に規制されて、取付主板３２１及び第一回転板３２２を回転可能に接続する。第一取付溝３２４は規制領域であり、回転軸３５における第一取付溝３２４に取り付けられた部分は第一段であり、他の部分は第二段である。
【００１９】
回転軸３５の第一段には推進部材３２５が外嵌されており、推進部材３２５は回転軸に沿って軸方向にスライド可能である。推進部材３２５は、駆動ブロック３１４と２つの支持ロッド３４の中の１つの支持ロッド３４の端部に接続されて、支持ロッド３４を第一取付板に沿ってスライドするように駆動する。２つの支持ロッド３４の一端は第一回転板３２２に間隔を置いて接続され、推進部材３２５に接続された支持ロッド３４の端部は、推進部材３２５にしたがって回転軸３５の軸方向に沿って第一回転板３２２上でスライドする。他の支持ロッド３４の端部は第一回転板３２２における第一段から離れた一端に固定される。
【００２０】
駆動ブロック３１４は円弧形の接続端３１４１を備え、推進部材３２５は円弧形スロット３２５１を備え、接続端３１４１は円弧形スロット３２５１内に挿入されて、推進部材３２５により駆動ブロック３１４を回転軸３５に沿って回転するように駆動することを実現する。即ち、推進部材３２５が回転するときに駆動ブロック３１４がその回転を妨げることを防止する。推進部材３２５は、支持ロッド３４におけるスライドする一端に接続するために用いられる接続端３２５２を備える。
【００２１】
第二取付板３３は、接続主板３３１及び第二回転板３３２を備える。第二回転板３３２は回転軸３３３によって接続主板３３１に回転可能に取り付けられ、２つの支持ロッド３４の他端は間隔を置いて第二回転板３３２に接続される。接続主板３３１及び第二回転板３３２は１つの折り畳み構造に相当する。
【００２２】
図５、図２及び図７を一緒に参照すると、第二回転板３３２の対向する両端には第二スライドスロット３３４が設けられており、第一回転板３２２の対向する両端には第一スライドスロット３２６が設けられている。２つの支持ロッド３４は交差接続されてから（Ｘ字状になる）第一取付板３２と第二取付回転板３３２との間に接続されている。第一スライドスロット３２６と第二スライドスロット３３４は斜めに対向している。推進部材３２５の一端は第一スライドスロット３２６に沿ってスライドすることができ、推進部材３２５に接続された支持ロッド３４の両端はそれぞれ第一スライドスロット３２６と第二スライドスロット３３４内にスライド可能に取り付けられる。他の支持ロッド３４の両端はそれぞれ他の第二スライドスロット３３４と第一スライドスロット３２６内に装着されて、２つの支持ロッド３４の開閉を実現する。接続主板３３１は、フレキシブルスクリーン２００を接続するために用いられる。取付主板３２１は支持板に接続されて取付溝の片側に位置する。駆動ブロック３１４の駆動によって推進部材３２５が回転軸３５に沿ってスライドすると、推進部材３２５は支持ロッド３４の一端を推進して第一スライドスロット３２６に沿ってスライドするとともに、他端を推進して第二スライドスロット３３４に沿ってスライドするので、この支持ロッド３４は他の支持ロッド３４に相対して閉じ、第二取付板３３を第一取付板３２から離れる方向に推進して、第二取付フレームの伸長を実現する。複数の第二取付フレーム３０
【００２３】
さらに、取付主板３２１にはねじりバネ３２６が設けられている。ねじりバネ３２６は回転軸３５の第二段に位置し、具体的には装着筒３２２１の外側に外嵌され且つ取付主板３２１と第一回転板３２２に当接される。第二取付板３３が支持板１０及びフレキシブルスクリーン２００に相対して回転しているところ、ねじりバネ３２６のねじり力は第二取付板３２を制御してフレキシブルスクリーン２００を過度に揺動させるように駆動する。
【００２４】
図６を参照すると、第一伸縮フレーム２０と第二伸縮フレーム３０の構造はほぼ同じであり、唯一の違いは、第一伸縮フレーム２０は支持板１０に対して回転することができず、伸縮することしかできないことである。具体的には、第一伸縮フレーム２０は、第三取付板２１と、第四取付板２２と、２つの支持ロッド２４と、を備える。各支持ロッド２４の両端はそれぞれ第三取付板２１と第四取付板２２に摺動自在に取り付けられ、２つの支持ロッド２４は交差接続されて相対的に回転可能である。
【００２５】
第三取付板２１は、取付主板２１１と、回転軸２１３によって取付主板２１１に回転可能に取り付けられた第三回転板２１２と、を備える。第四取付板２２は、接続主板２２１と、回転軸２２２によって接続主板２２１に回転可能に取り付けられた第四回転板２２３と、を備える。２つの支持ロッド２４の一端部は間隔を置いて第三回転板２１２にスライド可能に接続され、２つの支持ロッド２４の他端部は間隔を置いて第四回転板２２３にスライド可能に接続される。２つの支持ロッド２４は交差されてから回転可能に接続される。
【００２６】
さらに、回転軸２２２にはスライダ２２４が設けられており、スライダ２２４は駆動ブロック２１４と２つの支持ロッド２４の中の１つの支持ロッド２４の端部に接続されて、支持ロッド２４を第四取付板２２に沿ってスライドするように駆動する。第三回転板２１２の一端には、第三スライドスロット２１２１が設けられている。第四回転板２２３の一端には第四スライドスロット（図示せず）が設けられる。２つの支持ロッド２４は交差接続されてから第三取付板２１と第四取付板２２との間に接続される。第三スライドスロット２１２１と第四スライドスロットは斜めに対向している。スライダ２２４の一端は第四スライドスロットに沿ってスライド可能であり、スライダ２２４に接続された支持ロッド２４の両端はそれぞれ第三スライドスロット２１２１と第四スライドスロット内にスライド可能に取り付けられてスライダ２２４に接続される。取付主板２１１は支持板１０に接続するために用いられ、接続主板２２１はフレキシブルスクリーン２００に接続するために用いられる。
【００２７】
図１０を参照すると、本願の他の実施形態において、駆動部はピストンシリンダであり、第一伸縮フレーム２０の駆動部はシリンダのプッシュロッド４１及びプッシュロッドに接続された接続ブロック４２である。第二伸縮フレーム３０の駆動部は、シリンダのプッシュロッド４１及びプッシュロッドに接続されたフレキシブル可動ブロック４３であり、接続ブロックとフレキシブル可動ブロックはフレキシブルスクリーンを支持する。フレキシブル可動ブロックは、弾性変形可能な材料からなり、フレキシブルスクリーンが曲線変形される場合、複数の第二伸縮フレーム３０が第一伸縮フレーム２０に向かって傾斜する強度を緩める。
【００２８】
さらに、フレキシブルスクリーン支持装置１００は、第一伸縮フレーム２０及び複数の第二伸縮フレーム３０を動かすように駆動する制御装置を備える。
【００２９】
制御装置によってフレキシブルスクリーン支持装置１００を駆動してフレキシブルスクリーン２００の変形を実現することにより、設定された形態を形成する場合、図１、図８及び図９を参照すると、フレキシブルスクリーン２００を内部へ凹む円弧形に変形させると、中間に位置する第一伸縮フレーム２０の駆動部は支持ロッド２４を他の支持ロッドから離れる方向にスライドさせるように駆動して、２つの支持ロッドの間の交差角度は最大になり、第三取付板２１と第四取付板２２は互いに近くなり、従って第一伸縮フレーム２０に接続されたフレキシブルスクリーン２００の部分と支持板１０との間の距離を短縮し、第一伸縮フレーム２０の両側に位置する第二伸縮フレーム３０は順番に支持板１０に相対して伸長し、伸長された長さは第一伸縮フレーム２０の長さよりも順次大きい。第二伸縮フレーム３０にとって、駆動部は推進部材３２５を規制領域内で回転軸３５に沿ってスライドするように駆動して、推進部材に接続された支持ロッド３４を推進して第一スライドスロット３２６及び第二スライドスロット３３４に沿ってスライドすることにより、２つの支持ロッド３４の開閉を実現し、さらに第二伸縮フレーム３０の収縮及び伸長を実現する。この過程において、第二伸縮フレーム３０は支持板１０とフレキシブルスクリーン２００の引っ張り力を受ける。フレキシブルスクリーンが損傷されず且つ曲面変形を実現するために、第一取付板３１の第一回転板３２２は支持ロッドを動かして取付主板３３１に対して回転するようにするとともに、第二取付板３３の第二回転板３３２は接続主板３３１を回転させて、第二伸縮フレーム３０はフレキシブルスクリーンの変形に伴って角度が変化し、同時に、第一伸縮フレーム２０は支持板１０に対して回転しなく、フレキシブルスクリーン２００の形状を変える時に他の第二伸縮フレーム３０が安定した支持点を有するようにする。
【００３０】
本願のフレキシブルスクリーン支持装置１００は、第一伸縮フレーム２０及び複数の第二伸縮フレーム３０によって支持板１０とフレキシブルスクリーン２００を接続し、第一伸縮フレーム２０及び複数の第二伸縮フレーム３０の異なる程度の伸縮は、フレキシブルスクリーン２００を動かして曲面を形成することにより、フレキシブルスクリーン２００の多様化観察モードを実現する。
【図１】
2019530897.tif 000003
【図２】
2019530897.tif 000004
【図３】
2019530897.tif 000005
【図４】
2019530897.tif 000006
【図５】
2019530897.tif 000007
【図６】
2019530897.tif 000008
【図７】
2019530897.tif 000009
【図８】
2019530897.tif 000010
【図９】
2019530897.tif 000011
【図１０】
2019530897.tif 000012
【手続補正書】
【提出日】平成31年3月22日(2019.3.22)
【手続補正１】
【補正対象書類名】明細書
【補正対象項目名】全文
【補正方法】変更
【補正の内容】
【発明の詳細な説明】
【技術分野】
【０００１】
本発明は、フレキシブルディスプレイ技術分野に関するものであり、特にフレキシブルスクリーン支持装置及びフレキシブルスクリーンに関するものである。
【背景技術】
【０００２】
材料技術の発展と共に、ディスプレイスクリーンは湾曲可能な形態に製作することができる。フレキシブルディスプレイスクリーンを採用する装置は、携帯に便利であり、可撓性を有し、自由に変形できるなどのような多い利点を有する。しかしながら、目下、フレキシブルディスプレイスクリーンを有する装置自体もいくつかの欠点を有し、例えば、信頼できる支持性がなく、その制御性が悪い。
【０００３】
伝統的な解決策は、フレキシブルディスプレイスクリーンを固定形状（例えば、曲面状）を有する支持体に取り付けることであるが、この方法はフレキシブルディスプレイスクリーンのより優れた貼付性を利用するだけであり、その機能は曲面表示に限定されており、フレキシブルスクリーンの可撓性変形特性は十分に利用されていない。
【発明の概要】
【０００４】
上述した問題に基づいて、本願はフレキシブルスクリーン支持装置を提供し、フレキシブルスクリーンの可撓性変形特性を十分に利用して、フレキシブルスクリーンの多様化を実現する。
【０００５】
本願に係るフレキシブルスクリーン支持装置は、フレキシブルスクリーンを支持するために用いられ、フレキシブルスクリーン支持装置は、支持板と、第一伸縮フレームと、第一伸縮フレームの両側に位置する複数の第二伸縮フレームと、を備え、第一伸縮フレームと複数の第二伸縮フレームは支持板とフレキシブルスクリーンを接続し、第一伸縮フレームと複数の第二伸縮フレームはフレキシブルスクリーンを動かして曲面を形成する。
【０００６】
本願に係るフレキシブルスクリーンは、表示面と、背面と、上記したフレキシブルスクリーン支持装置と、を備え、フレキシブルスクリーン支持装置は背面に接続される。
【０００７】
本願に係るフレキシブルスクリーン支持装置は、第一伸縮フレーム及び複数の第二伸縮フレームによってフレキシブルスクリーンを支持し、第一伸縮フレーム及び複数の第二伸縮フレームの異なる程度の伸縮はフレキシブルスクリーンを動かして曲面を形成することにより、フレキシブルスクリーンの多様化視聴モードを実現する。
【図面の簡単な説明】
【０００８】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明のフレキシブルスクリーンを示す図面であり、フレキシブルスクリーン支持装置を備え、フレキシブルスクリーンは円弧状態にある。
【図２】図２は、本発明の第一実施形態に係わるフレキシブルスクリーン支持装置の一部分の構造を示す図面であり、第二伸縮フレームは伸長状態にある。
【図３】図３は、図２に示されたフレキシブルスクリーン支持装置の第二伸縮フレームの分解図である。
【図４】図４は、図３に示されたフレキシブルスクリーン支持装置の別の角度の分解図である。
【図５】図５は、図２に示されたフレキシブルスクリーン支持装置の第二伸縮フレームの組立図である。
【図６】図６は、図１に示されたフレキシブルスクリーン支持装置の第一伸縮フレームの構造を示す図面である。
【図７】図７は、図２に示されたフレキシブルスクリーン支持装置の第二伸縮フレームの収縮状態を示す図面である。
【図８】図８は、図１に示された本発明のフレキシブルスクリーンがフレキシブルスクリーン支持装置によって変形された状態を示す図面である。
【図９】図９は、図１に示された本発明のフレキシブルスクリーンがフレキシブルスクリーン支持装置によって変形された状態を示す図面である。
【図１０】図１０は、本発明の第二実施形態に係わるフレキシブルスクリーン支持装置の構造を示す図面であり、フレキシブルスクリーンを備える。
【発明を実施するための形態】
【０００９】
以下、本発明の実施形態の添付の図面を参照しながら、本発明の実施形態の技術的方案を明確且つ完全に説明する。
【００１０】
図１を参照すると、本発明の実施形態は、フレキシブルスクリーン２００を支持するために用いられるフレキシブルスクリーン支持装置１００を提供する。フレキシブルスクリーン支持装置１００は、支持板１０と、第一伸縮フレーム２０と、第一伸縮フレーム２０の両側に位置する複数の第二伸縮フレーム３０と、を備える。第一伸縮フレーム２０及び複数の第二伸縮フレーム３０は、支持板１０とフレキシブルスクリーン２００を接続する。第一伸縮フレーム２０及び複数の第二伸縮フレーム３０は、フレキシブルスクリーン２００を動かして曲面を形成する。その中において、波形曲面、円弧形曲面、角度付きの凸形状又は凹形状を備え、平面であってもよい。
【００１１】
さらに、複数の第二伸縮フレーム３０は、支持板１０の表面に対して回転可能である。
【００１２】
さらに、図６に示されたように、第一伸縮フレーム２０に駆動部２５が接続されており、図５に示されたように、複数の第二伸縮フレーム３０の中のそれぞれに駆動部３１が接続されている。
【００１３】
具体的には、駆動部２５と駆動部３１は同じ構造であることが好ましい。駆動部３１は、駆動モータ３１１と、駆動モータ３１１に接続されたリードスクリュー３１３と、リードスクリュー３１３に外嵌された駆動ブロック３１４と、を備える。リードスクリュー３１３は駆動ブロック３１４を動かして第二伸縮フレーム３０を伸縮するように駆動する。駆動部２５は、駆動モータ２５１と、駆動モータ２５１に接続されたリードスクリュー２５３と、リードスクリュー２５３に外嵌された駆動ブロック２５４と、を備える。リードスクリュー２５３は駆動ブロック２５４を動かして第一伸縮フレーム２０を伸縮するように駆動する。
【００１４】
図２を参照すると、支持板１０は矩形の板体であり、その片側に帯状の複数の取付溝１１が間隔を置いて設置される。取付溝１１は、第一伸縮フレーム２０の駆動部２５及び複数の第二伸縮フレーム３０の駆動部３１を装着するために用いられる。第一伸縮フレーム２０の駆動部２５は、複数の取付溝１１における中間位置に位置する取付溝１１に取り付けられる。
【００１５】
図３、図４を参照すると、１つの第二伸縮フレーム３０を例として説明すると、駆動部３１の駆動モータ３１１は１つの取付溝１１内に位置し、リードスクリュー３１３は取付溝１１の長さ方向に沿って取付溝１１内に装着され、駆動ブロック３１４は取付溝１１の一端に位置する。
【００１６】
第二伸縮フレーム３０は、第一取付板３２と、第二取付板３３と、２つの支持ロッド３４と、を備える。各々の支持ロッド３４の両端はそれぞれ第一取付板３２と第二取付板３２に摺動自在に取り付けられ、２つの支持ロッド３４は交差接続されて相対的に回転可能である。２つの支持ロッド３４は、軸によって２つの支持ロッドの中心位置を接続することにより、２つの支持ロッド３４の相対回転を実現する。２つの支持ロッド３４の中の１つの支持ロッド３４は、第一端と、第一端に対向する第二端と、を備える。  
【００１７】
第一取付板３２は、取付主板３２１及び第一回転板３２２を備え、第一回転板３２２は回転軸３５によって取付主板３２１に回転可能に取り付けられる。取付主板３２１は細長い板体であり、取付主板３２１の長手方向に沿って、第一取付溝３２４、第二取付溝３２１１、取付ブロック３２１２、第二取付溝３２１１、取付ブロック３２１２が順次に設けられている。本実施形態において、１つの第一取付溝３２４、２つの第二取付溝３２１１、２つの取付ブロック３２１２が設けられており、２つの第二取付溝３２１１と２つの取付ブロック３２１２は交互に設けられている。そして、第一取付溝３２４は、隣り合う１つの第二取付溝３２１１と間隔を置いて設けられている。１つの第一取付溝３２４、２つの第二取付溝３２１１及び２つの取付ブロック３２１２は軸孔によってお互いに貫通している。第一回転板３２２の片側の両端にはそれぞれヒンジ端３２２１が設けられる。２つのヒンジ端３２２１の間には離間されている２つの装着筒３２２２が突出して設けられる。
【００１８】
第一回転板３２２は取付主板３２１に取り付けられ、２つの装着筒３２２２は２つの第二取付溝３２１１内に挿入される。回転軸３５は、第一取付溝３２４、第二取付溝３２１１、装着筒３２２２及び取付ブロック３２１２を貫通し、且つその両端は２つのヒンジ端３２２１内に回転可能に規制されて、取付主板３２１及び第一回転板３２２を回転可能に接続する。第一取付溝３２４は規制領域であり、回転軸３５における第一取付溝３２４に取り付けられた部分は第一段であり、他の部分は第二段である。
【００１９】
回転軸３５の第一段には推進部材３２５が外嵌されており、推進部材３２５は回転軸３５に沿って軸方向にスライド可能である。推進部材３２５は、駆動ブロック３１４と２つの支持ロッド３４の中の１つの支持ロッド３４の端部に接続されて、支持ロッド３４を第一取付板３２に沿ってスライドするように駆動する。２つの支持ロッド３４の一端は第一回転板３２２に間隔を置いて接続され、推進部材３２５に接続された支持ロッド３４の端部は、推進部材３２５にしたがって回転軸３５の軸方向に沿って第一回転板３２２上でスライドする。他の支持ロッド３４の端部は第一回転板３２２における第一段から離れた一端に固定される。
【００２０】
駆動ブロック３１４は円弧形の接続端３１４１を備え、推進部材３２５は円弧形スロット３２５１を備え、接続端３１４１は円弧形スロット３２５１内に挿入されて、推進部材３２５により駆動ブロック３１４を回転軸３５に沿って回転するように駆動することを実現する。即ち、推進部材３２５が回転するときに駆動ブロック３１４がその回転を妨げることを防止する。推進部材３２５は、支持ロッド３４におけるスライドする一端に接続するために用いられる接続端３２５２を備える。
【００２１】
第二取付板３３は、接続主板３３１及び第二回転板３３２を備える。第二回転板３３２は回転軸３３３によって接続主板３３１に回転可能に取り付けられ、２つの支持ロッド３４の他端は間隔を置いて第二回転板３３２に接続される。接続主板３３１及び第二回転板３３２は１つの折り畳み構造に相当する。
【００２２】
図５、図２及び図７を一緒に参照すると、第二回転板３３２の一端には第二スライドスロット３３４が設けられており、第一回転板３２２の一端には第一スライドスロット３２６が設けられている。２つの支持ロッド３４は交差接続されてから（Ｘ字状になる）第一取付板３２と第二取付板３３との間に接続されている。第一スライドスロット３２６と第二スライドスロット３３４は対向している。推進部材３２５の一端は第一スライドスロット３２６に沿ってスライドすることができ、推進部材３２５に接続された支持ロッド３４の一端は第一スライドスロット３２６内にスライド可能に取り付けられ、推進部材３２５に接続された支持ロッド３４の他端は第二回転板３３２の他端にシャフト接続される。他の支持ロッド３４の一端は第二スライドスロット３３４内にスライド可能に装着され、他の支持ロッド３４の他端は第一回転板３２２の他端にシャフト接続されて、２つの支持ロッド３４の開閉を実現する。接続主板３３１は、フレキシブルスクリーン２００を接続するために用いられる。取付主板３２１は支持板１０に接続されて取付溝１１の片側に位置する。駆動ブロック３１４の駆動によって推進部材３２５が回転軸３５に沿ってスライドすると、推進部材３２５はそれに接続された支持ロッド３４の一端を推進して第一スライドスロット３２６に沿ってスライドするとともに、他の支持ロッド３４の一端は第二スライドスロット３３４に沿ってスライドするので、２つの支持ロッド３４は相対して閉じ、第二取付板３３を第一取付板３２から離れる方向に推進して、第二伸縮フレーム３０の伸長を実現する。
【００２３】
さらに、第一回転板３２２にはねじりバネ３２６が設けられている。ねじりバネ３２６は回転軸３５の第二段に位置し、具体的には装着筒３２２２の外側に外嵌され且つ取付主板３２１と第一回転板３２２に当接される。第二取付板３３が支持板１０及びフレキシブルスクリーン２００に相対して回転しているところ、ねじりバネ３２６のねじり力は第二取付板３３を制御してフレキシブルスクリーン２００を過度に揺動させるように駆動する。
【００２４】
図６を参照すると、第一伸縮フレーム２０と第二伸縮フレーム３０の構造はほぼ同じであり、唯一の違いは、第一伸縮フレーム２０は支持板１０に対して回転することができず、伸縮することしかできないことである。具体的には、第一伸縮フレーム２０は、第三取付板２１と、第四取付板２２と、２つの支持ロッド２４と、を備える。２つの支持ロッド２４の一端はそれぞれ第三取付板２１と第四取付板２２に摺動自在に取り付けられ、２つの支持ロッド２４は交差接続されて相対的に回転可能である。
【００２５】
第三取付板２１は、取付主板２１１と、回転軸によって取付主板２１１に回転可能に取り付けられた第三回転板２１２と、を備える。第四取付板２２は、接続主板２２１と、回転軸２２２によって接続主板２２１に回転可能に取り付けられた第四回転板２２３と、を備える。２つの支持ロッド２４の一端部は間隔を置いて第三回転板２１２に接続され、２つの支持ロッド２４の他端部は間隔を置いて第四回転板２２３に接続される。２つの支持ロッド２４は交差されてから回転可能に接続される。
【００２６】
さらに、回転軸２２２にはスライダ２２４が設けられており、スライダ２２４は駆動ブロック２５４と２つの支持ロッド２４の中の１つの支持ロッド２４の端部に接続されて、支持ロッド２４を第四取付板２２に沿ってスライドするように駆動する。第三回転板２１２の一端には、第三スライドスロット２１２１が設けられている。第四回転板２２３の一端には第四スライドスロット（図示せず）が設けられる。２つの支持ロッド２４は交差接続されてから第三取付板２１と第四取付板２２との間に接続される。第三スライドスロット２１２１と第四スライドスロットは対向している。スライダ２２４の一端は第四スライドスロットに沿ってスライド可能であり、スライダ２２４に接続された支持ロッド２４の一端は第四スライドスロット内にスライド可能に取り付けられてスライダ２２４に接続され、スライダ２２４に接続された支持ロッド２４の他端は第三回転板２１２の他端にシャフト接続され、他の支持ロッド２４の一端は第三スライドスロット２１２１内にスライド可能に装着され、他の支持ロッド２４の他端は第四回転板２２３の他端にシャフト接続されて、２つの支持ロッド２４の開閉を実現する。取付主板２１１は支持板１０に接続するために用いられ、接続主板２２１はフレキシブルスクリーン２００に接続するために用いられる。
【００２７】
図１０を参照すると、本願の他の実施形態において、駆動部はピストンシリンダであり、第一伸縮フレーム２０の駆動部はシリンダのプッシュロッド４１及びプッシュロッド４１に接続された接続ブロック４２である。第二伸縮フレーム３０の駆動部は、シリンダのプッシュロッド４１及びプッシュロッド４１に接続されたフレキシブル可動ブロック４３であり、接続ブロック４２とフレキシブル可動ブロック４３はフレキシブルスクリーン２００を支持する。フレキシブル可動ブロック４３は、弾性変形可能な材料からなり、フレキシブルスクリーン２００が曲線変形される場合、複数の第二伸縮フレーム３０が第一伸縮フレーム２０に向かって傾斜する強度を緩める。
【００２８】
さらに、フレキシブルスクリーン支持装置１００は、第一伸縮フレーム２０及び複数の第二伸縮フレーム３０を動かすように駆動する制御装置を備える。
【００２９】
制御装置によってフレキシブルスクリーン支持装置１００を駆動してフレキシブルスクリーン２００の変形を実現することにより、設定された形態を形成する場合、図１、図８及び図９を参照すると、フレキシブルスクリーン２００を内部へ凹む円弧形に変形させると、中間に位置する第一伸縮フレーム２０の駆動部は支持ロッド２４を他の支持ロッドから離れる方向にスライドさせるように駆動して、２つの支持ロッドの間の交差角度は最大になり、第三取付板２１と第四取付板２２は互いに近くなり、従って第一伸縮フレーム２０に接続されたフレキシブルスクリーン２００の部分と支持板１０との間の距離を短縮し、第一伸縮フレーム２０の両側に位置する第二伸縮フレーム３０は順番に支持板１０に相対して伸長し、伸長された長さは第一伸縮フレーム２０の長さよりも順次大きい。第二伸縮フレーム３０にとって、駆動部は推進部材３２５を規制領域内で回転軸３５に沿ってスライドするように駆動して、推進部材３２５に接続された支持ロッド３４を推進して第一スライドスロット３２６に沿ってスライドすることにより、２つの支持ロッド３４の開閉を実現し、さらに第二伸縮フレーム３０の収縮及び伸長を実現する。この過程において、第二伸縮フレーム３０は支持板１０とフレキシブルスクリーン２００の引っ張り力を受ける。フレキシブルスクリーン２００が損傷されず且つ曲面変形を実現するために、第一取付板３２の第一回転板３２２は支持ロッドを動かして取付主板３２１に対して回転するようにするとともに、第二取付板３３の第二回転板３３２は接続主板３３１を回転させて、第二伸縮フレーム３０はフレキシブルスクリーン２００の変形に伴って角度が変化し、同時に、第一伸縮フレーム２０は支持板１０に対して回転しなく、フレキシブルスクリーン２００の形状を変える時に他の第二伸縮フレーム３０が安定した支持点を有するようにする。
【００３０】
本願のフレキシブルスクリーン支持装置１００は、第一伸縮フレーム２０及び複数の第二伸縮フレーム３０によって支持板１０とフレキシブルスクリーン２００を接続し、第一伸縮フレーム２０及び複数の第二伸縮フレーム３０の異なる程度の伸縮は、フレキシブルスクリーン２００を動かして曲面を形成することにより、フレキシブルスクリーン２００の多様化観察モードを実現する。
【手続補正２】
【補正対象書類名】特許請求の範囲
【補正対象項目名】全文
【補正方法】変更
【補正の内容】
【特許請求の範囲】
【請求項１】
フレキシブルスクリーンを支持するために用いられるフレキシブルスクリーン支持装置であって、
支持板と、第一伸縮フレームと、前記第一伸縮フレームの両側に位置する複数の第二伸縮フレームと、を備え、前記第一伸縮フレーム及び複数の前記第二伸縮フレームは前記支持板と前記フレキシブルスクリーンを接続し、前記第一伸縮フレームと複数の前記第二伸縮フレームは前記フレキシブルスクリーンを動かして曲面を形成することを特徴とするフレキシブルスクリーン支持装置。
【請求項２】
前記第一伸縮フレーム及び複数の前記第二伸縮フレームには、それぞれ駆動部が接続されており、
各々の前記駆動部は、駆動モータと、前記駆動モータに接続されたリードスクリューと、前記リードスクリューに外嵌された駆動ブロックと、を備え、前記リードスクリューは前記駆動ブロックを動かして前記伸縮フレームを伸縮させるように駆動することを特徴とする請求項１に記載のフレキシブルスクリーン支持装置。
【請求項３】
複数の前記第二伸縮フレームは前記支持板の表面に対して回転可能であることを特徴とする請求項２に記載のフレキシブルスクリーン支持装置。
【請求項４】
前記第二伸縮フレームは、第一取付板と、第二取付板と、２つの支持ロッドと、を備え、２つの前記支持ロッドの一端はそれぞれ前記第一取付板と前記第二取付板に摺動自在に取り付けられ、２つの前記支持ロッドは交差接続されて相対的に回転可能であることを特徴とする請求項３に記載のフレキシブルスクリーン支持装置。
【請求項５】
前記第一取付板には回転軸及び推進部材が設けられており、前記推進部材は前記回転軸に回転自在に取り付けられ且つ前記回転軸に沿ってスライド可能であり、前記推進部材は、前記駆動ブロックと２つの前記支持ロッドの中の１つの支持ロッドの端部に接続されて、前記支持ロッドを前記第一取付板に沿ってスライドするように駆動することを特徴とする請求項４に記載のフレキシブルスクリーン支持装置。
【請求項６】
前記第一取付板は取付主板及び第一回転板を備え、前記第一回転板は前記回転軸によって前記取付主板に回転可能に取り付けられ、２つの前記支持ロッドの一端は間隔を置いて前記第一回転板に接続され、且つ前記推進部材に接続された前記支持ロッドの端部は軸方向に沿って前記第一回転板上でスライドすることを特徴とする請求項５に記載のフレキシブルスクリーン支持装置。
【請求項７】
前記回転軸は前記取付主板に取り付けられ、前記回転軸は間隔を置いて設置された第一段及び第二段を備え、前記推進部材は前記第一段に外嵌され、前記取付主板には規制領域が設けられ、前記第一段は前記規制領域に位置することを特徴とする請求項６に記載のフレキシブルスクリーン支持装置。
【請求項８】
前記第一回転板にはねじりバネが設けられており、前記ねじりバネは前記第二段に位置し、前記取付主板と前記第一回転板に当接されることを特徴とする請求項７に記載のフレキシブルスクリーン支持装置。
【請求項９】
前記第二取付板は接続主板及び第二回転板を備え、前記第二回転板は回転軸によって前記接続主板に回転可能に取り付けられ、２つの前記支持ロッドの他端は間隔を置いて前記第二回転板に接続されることを特徴とする請求項６に記載のフレキシブルスクリーン支持装置。
【請求項１０】
２つの前記支持ロッドの中部は回転軸によって回転可能に交差接続されることを特徴とする請求項４に記載のフレキシブルスクリーン支持装置。
【請求項１１】
前記第一回転板の一端には第一スライドスロットが設けられており、前記第二回転板の一端には第二スライドスロットが設けられており、前記推進部材に接続された前記支持ロッドの一端は前記第一スライドスロット内にスライド可能に取り付けられ、他の１つの前記支持ロッドの一端は前記第二スライドスロット内にスライド可能に取り付けられることを特徴とする請求項９に記載のフレキシブルスクリーン支持装置。
【請求項１２】
前記駆動ブロックは円弧形の接続端を備え、前記推進部材は円弧形スロットを備え、前記接続端は前記円弧形スロット内に挿入されて、前記推進部材により前記駆動ブロックを前記回転軸に沿って回転するように駆動することを実現することを特徴とする請求項５に記載のフレキシブルスクリーン支持装置。  
【請求項１３】
前記第一伸縮フレームは、第三取付板と、第四取付板と、２つの支持ロッドと、を備え、２つの前記支持ロッドの一端は、それぞれ前記第三取付板と前記第四取付板に摺動自在に取り付けられ、２つの前記支持ロッドは交差接続されて相対的に回転可能であることを特徴とする請求項３に記載のフレキシブルスクリーン支持装置。
【請求項１４】
前記第三取付板は、取付主板と、回転軸によって前記取付主板に回転可能に取り付けられた第三回転板と、を備え、
前記第四取付板は、接続主板と、回転軸によって前記接続主板に回転可能に取り付けられた第四回転板と、を備え、
２つの前記支持ロッドの一端部は間隔を置いて前記第三回転板に接続され、２つの前記支持ロッドの他端部は間隔を置いて前記第四回転板に接続されることを特徴とする請求項１３に記載のフレキシブルスクリーン支持装置。
【請求項１５】
前記回転軸にはスライダが設けられており、前記スライダは前記駆動ブロックと２つの前記支持ロッドの中の１つの支持ロッドの端部に接続されて、前記支持ロッドを前記第四取付板に沿ってスライドするように駆動することを特徴とする請求項１４に記載のフレキシブルスクリーン支持装置。
【請求項１６】
前記回転軸は前記取付主板に取り付けられ且つ間隔を置いて設置された第一段及び第二段を備え、前記推進部材は前記第一段に外嵌され、前記取付主板には規制領域が設けられ、前記第一段は前記規制領域内に位置し、前記取付溝の２つの溝壁に接続されることを特徴とする請求項１５に記載のフレキシブルスクリーン支持装置。
【請求項１７】
前記駆動部はピストンシリンダであり、前記第一伸縮フレームの駆動部はシリンダのプッシュロッド及びプッシュロッドに接続された接続ブロックであり、前記第二伸縮フレームの駆動部は、シリンダのプッシュロッド及びプッシュロッドに接続されたフレキシブル可動ブロックであり、前記接続ブロックと前記フレキシブル可動ブロックは前記フレキシブルスクリーンを支持することを特徴とする請求項２に記載のフレキシブルスクリーン支持装置。
【請求項１８】
前記フレキシブルスクリーン支持装置は制御装置を備え、前記制御装置は前記第一伸縮フレームと複数の前記第二伸縮フレームを動かすように駆動することを特徴とする請求項１に記載のフレキシブルスクリーン支持装置。
【請求項１９】
表示面と、背面と、請求項１〜１８のいずれか一項に記載のフレキシブルスクリーン支持装置と、を備え、前記フレキシブルスクリーン支持装置は前記背面に接続されることを特徴とするフレキシブルスクリーン。
【手続補正３】
【補正対象書類名】図面
【補正対象項目名】図４
【補正方法】変更
【補正の内容】
【図４】
2019530897.tif 000013
【国際調査報告】
2019530897.tif 000014
2019530897.tif 000015
2019530897.tif 000016
2019530897.tif 000017